(57)【要約】【課題】本発明は、着脱可能なハンドルを採用するデスクトップ本体を提供することを目的とする。【解決手段】本発明に係るデスクトップ本体は、収容部が形成されている頂板及び着脱可能なハンドルを備え、前記収容部と前記頂板との間に、一側に開口を有する収容空間が設けられ、前記収容部の頂面に前記収容空間と前記開口とを連通させる切欠部が設けられ、前記ハンドルは、固定部及び回転可能に前記固定部に設置される取手部を備え、前記固定部は、前記開口から前記収容空間内に着脱可能に収容され、前記取手部は、前記切欠部から露出する。【選択図】図１
2013122746.tif 000002
【特許請求の範囲】
【請求項１】
収容部が形成されている頂板と着脱可能なハンドルとを備えるデスクトップ本体であって、
前記収容部と前記頂板との間に、一側に開口を有する収容空間が設けられ、前記収容部の頂面に、前記収容空間と前記開口とを連通させる切欠部が設けられ、前記ハンドルは、固定部、及び回転可能に前記固定部に設置される取手部を備え、前記固定部は、前記開口から前記収容空間内に着脱可能に収容され、前記取手部は、前記切欠部から露出することを特徴とする着脱可能なハンドルを採用するデスクトップ本体。
【請求項２】
前記固定部の上面には、突設部が設置され、前記突設部には、該突設部の両端を貫通するスロートが設けられ、前記取手部は、握持部と、該握持部の両端から該握持部に対して垂直に其々延伸する２つの延伸部と、該２つの延伸部の自由端から該２つの延伸部に対して垂直に、且つ内側に其々延伸する２つの挿入部と、を備え、前記２つの挿入部は、前記スロートの両端から該スロート内に、其々挿入されることを特徴とする請求項１に記載の着脱可能なハンドルを採用するデスクトップ本体。
【請求項３】
前記収容部は、前記頂板に固定されるＵ字状の固定片と、該固定片の内側辺から内側へ湾曲しているＵ字状の周壁と、該周壁の上端から前記固定片に平行に、且つ前記周壁に一体成形されて延在する上壁と、を備え、前記切欠部は、前記上壁に開設されることを特徴とする請求項１又は２に記載の着脱可能なハンドルを採用するデスクトップ本体。
【発明の詳細な説明】
【技術分野】
【０００１】
本発明は、デスクトップ本体に関し、特に着脱可能なハンドルを採用するデスクトップ本体に関するものである。
【背景技術】
【０００２】
従来の技術においては、デスクトップ本体を移動させる際、両手で該デスクトップ本体を運搬するのが一般的である。しかし、このように、両手を使えば、他の物を持ち運ぶ事ができない。また、デスクトップ本体自体が大きい場合、持ち運ぶ際に視界を邪魔されて不便である。
【発明の概要】
【発明が解決しようとする課題】
【０００３】
本発明の目的は、前記課題を解決し、着脱可能なハンドルを採用するデスクトップ本体を提供することである。
【課題を解決するための手段】
【０００４】
上記目的を達成するために、本発明に係るデスクトップ本体は、収容部が形成されている頂板と着脱可能なハンドルとを備え、前記収容部と前記頂板との間に、一側に開口を有する収容空間が設けられ、前記収容部の頂面に前記収容空間と前記開口とを連通させる切欠部が設けられ、前記ハンドルは、固定部及び回転可能に前記固定部に設置される取手部を備え、前記固定部は、前記開口から前記収容空間内に着脱可能に収容され、前記取手部は、前記切欠部から露出する。
【発明の効果】
【０００５】
本発明に係る着脱可能なハンドルを採用するデスクトップ本体は、前記頂板に収容部が設置され、前記ハンドルが着脱可能に前記収容部に収容されるため、ユーザーは、握持部を持つと、片手でもデスクトップ本体を運搬することができる。また、他のデスクトップ本体に前記収容部が設置されていると、１つのハンドルによって複数のデスクトップ本体を運搬することができるので、経済的である。
【図面の簡単な説明】
【０００６】
【図１】本発明の実施形態に係るデスクトップ本体の斜視分解図である。
【図２】図１に示したデスクトップ本体の斜視組立て図である。
【発明を実施するための形態】
【０００７】
図１及び図２に示したように、本発明の実施形態に係る着脱可能なハンドルを採用するデスクトップ本体は、頂板１０及び前記頂板１０に着脱可能に取り付けられるハンドル２０を備える。
【０００８】
前記頂板１０の１つの長側辺に近接する箇所には、収容部１４が設置されている。該収容部１４は、螺子、リベット等の固定部材によって前記頂板１０に固定される略Ｕ字状の固定片１４０と、前記固定片１４０の内側辺から内側へやや湾曲している略Ｕ字状の周壁１４２と、該周壁１４２の上端から前記固定片１４０に平行に、且つ前記周壁１４２に一体成形されて延在する上壁１４４と、を備える。これにより、前記上壁１４４、前記周壁１４２及び前記頂板１０は収容空間１４６を形成し、且つ該収容空間１４６の前記頂板１０の１つの側辺側に開口１４８が設けられる。また、前記上壁１４４上には、前記収容空間１４６と前記開口１４８と連通する切欠部１５０が設けられている。
【０００９】
前記ハンドル２０は、固定部２１及び取手部２４を備える。前記固定部２１は、矩形を呈する底板２２及び蓋体２６を備える。前記蓋体２６は、螺子、リベットなどの複数の固定部材によって前記底板２２の上面に固定される２つの固定片２６０と、前記２つの固定片２６０の互いに近接する側辺の中央部分を連結する突設部２６２と、を備える。前記突設部２６２の断面はＣ型状であり、且つその両端を貫くスロート３２が設けられている。前記取手部２４は、握持部２４０と、前記握持部２４０の両端から該握持部２４０に対して垂直に其々延伸する２つの延伸部２４２と、該２つの延伸部２４２の自由端から、該２つの延伸部２４２に対して垂直に、且つ内側に其々延伸する２つの挿入部２４４と、を備える。前記２つの挿入部２４４は、前記スロート３２の両側端から、前記スロート３２内に其々挿入される。これにより、前記取手部２４は前記固定部２１上に回転可能に設置される。
【００１０】
前記デスクトップ本体に、前記固定部２１に回転可能に設置された前記取手部２４を取り付ける際、前記ハンドル２０の固定部２１が、前記頂板１０の収容空間１４６の前記開口１４８から該収容空間１４６内に挿入される。この際、前記取手部２４及び前記固定部２１の一部は、前記頂板１０の前記収容部１４の前記切欠部１５０から露出する。これにより、前記取手部２４の握持部２４０を持って、前記デスクトップ本体を移動させることができる。
【００１１】
前記デスクトップ本体を移動させない場合、前記取手部２４を前記開口１４８側に倒して、露出している前記固定部２１上に当接させるか、前記ハンドル２０自体を前記収容空間１４６内から取り出せば良い。
【００１２】
他の実施形態として、前記収容部１４を前記デスクトップ本体の他の位置に設置することもできる。
【００１３】
他の実施形態として、前記固定部２１の底板２２と前記蓋体２６とを一体成形し、前記固定部２１の中央部に前記スロート３２が設けられた前記突設部２６２を凸設させる。
【００１４】
本発明は、前記デスクトップ本体に前記収容部１４を取り付け、着脱可能に前記固定部２１に設置された前記ハンドル２０を該収容部１４に入れるだけで、前記握持部２４０を持って、前記デスクトップ本体を移動させることができるため、非常に便利である。
【符号の説明】
【００１５】
１０  頂板
１４  収容部
１４０、２６０  固定片
１４２  周壁
１４４  上壁
１４６  収容空間
１４８  開口
１５０  切欠部
２０  ハンドル
２１  固定部
２２  底板
２４  取手部
２６  蓋体
２６２  突設部
３２  スロート
２４０  握持部
２４２  延伸部
２４４  挿入部
【図１】
2013122746.tif 000003
【図２】
2013122746.tif 000004